(57)【要約】【課題】バッテリーの残量が少なくなってきた場合、段階的に機能は制限されていくが機器動作を可能な限り持続させる携帯端末装置を提供することにある。【解決手段】電池残量を電池残量検出部で検出し、制御部では検出された電池残量と予め設定したしきい値を比較し、電池残量が少ないと判断された時に、グラフィックス表示機能を停止し、さらに電池残量が少なくなった時には、映像表示を停止し、音声信号のみの出力にする。【選択図】  図２
2004336330.tif 000002
【特許請求の範囲】
【請求項１】
映像表示装置と、音声出力装置と、電池と、前記電池の残量を検出する電池残量検出装置と、前記映像表示装置に電源供給し、かつ前記電源供給のオン、およびオフの制御が可能な映像表示用電源装置と、伝送信号を受信する受信装置と、前記受信装置で受信した受信信号を復調する復調装置と、前記復調装置で復調した復調信号から映像と音声信号の複合再生処理を行い、かつ前記映像表示用電源装置のオンとオフを制御する制御装置と、を有する携帯端末装置において、前記電池残量検出装置で検出する手段と、前記電池残量検出装置で検出した電池残量レベルと予め設定したしきい値とを比較する手段と、前記電池残量レベルが前記しきい値以下になった場合に前記映像表示用電源装置の電源をオフする手段と、を具備することを特徴とする携帯端末装置。
【請求項２】
請求項１記載の前記制御装置は、前記映像と音声信号を複合再生処理を行うための一時記憶装置を映像処理用、音声処理用と別々に有し、映像処理用の一時記憶装置は電源供給のオンとオフを制御可能な一時記憶装置用電源を有し、前記一時記憶装置用電源は、請求項１記載の前記映像表示用電源装置の電源をオフする手段で同時にオフすること、を特徴とする請求項１記載の携帯端末装置。
【請求項３】
表示する映像は、請求項１記載の前記受信信号から複合再生した映像と、携帯端末装置を操作するためのグラフィックス映像の２種類があり、請求項１記載の前記電池残量レベルが予め設定した前記しきい値以下になった場合、前記グラフィックス映像の表示処理を停止する手段を、更に具備することを特徴とする携帯端末装置。
【請求項４】
操作するための入力装置を有し、電池の残量が請求項１記載の前記予め設定したしきい値以下になる前は、グラフィックス映像を用いた操作モードで動作する手段と、電池残量が少なくなり請求項１記載の前記映像表示用電源をオフした手段以降は、グラフィックス映像を用いない操作モードで動作する手段へ切り替わること、を特徴とする携帯端末装置。
【請求項５】
省電力モードに切り替わったことを示す点灯装置を、具備することを特徴とする請求項１記載の携帯端末装置。
【発明の詳細な説明】
【０００１】
【発明の属する技術分野】
本発明は、放送を受信し、ディスプレイ表示と音声出力の機能を持つ携帯端末装置において、バッテリーの残存容量が少なくなってきた場合に、表示機能の制限や表示機能を停止させ、また、音声出力のみ出力へ段階的に切り替えて装置の動作時間を持続させる省電力モードへの切り替え装置に関するものである。
【０００２】
【従来の技術】
バッテリーで駆動する携帯用の端末機器の動作時間を持続するために、消費電力を抑えるために省電力モードでは、動作クロックの周波数を低くするといった装置などがある（例えば特許文献１参照。）。
【０００３】
【特許文献１】
特開昭６１−２６９７１８号公報
【０００４】
【発明が解決しようとする課題】
ところで、放送番組を視聴している場合、バッテリーの残量が少なくなってくると機器全体が機能しなくなるよりは、機能が制限されても可能な限り放送を受信し続けることができることが望ましい場合がある。具体的には、放送番組を受信中、映像は見えなくなってもニュースや音楽番組では、音声だけでも長時間聞き続けたいことがある。また、ディスプレイを有する携帯端末で消費電力の大半を占めるのはディスプレイに映像を表示する電力であり、ディスプレイ表示を停止させると消費電力を大幅に削減できる。さらに消費電力を抑えるために機器の動作クロックの周波数を低くすることは、機器のシステム動作が不安定になりやすい。
【０００５】
本発明は、このような問題に鑑みてなされたもので、その目的は、バッテリーの残量が少なくなってきた場合、グラフィックス表示機能を停止し、さらに残量が少なくなってきた場合、ディスプレイの表示機能を停止し、音声出力のみにすることで、段階的に機能は制限されていくが機器動作を可能な限り持続させる携帯端末装置を提供することにある。
【０００６】
【課題を解決するための手段】
前述の目的を達成するために、本発明は、受信映像、およびグラフィックスを表示するディスプレイと、音声出力部と、機器操作部と、受信アンテナと、バッテリー残量検出部と、ディスプレイを含めた映像表示部へ電源を供給するオンとオフとの制御が可能な映像表示用電源と、映像の複合再生、および表示処理に使用するＲＡＭと映像の複合再生、および表示処理以外の処理に使用するＲＡＭと、装置の動作プログラムを記憶しておくＲＯＭと、映像の再生、および表示処理に使用するＲＡＭへ電源を供給するオンとオフの制御が可能な映像複合再生処理用ＲＡＭ電源と、受信アンテナからの信号を復調する復調部と、復調した信号から映像や音声の複合再生処理、およびバッテリー残量検出部で検出したレベルをもとに、上記の各電源のオンとオフを制御する制御部を有する携帯端末装置において、バッテリーの残量を検出すると、バッテリーの残量が、予め設定した第１のしきい値以下に達したらグラフィックス表示機能を停止する手段と、さらにバッテリーの残量が、予め設定した第２のしきい値以下に達したら映像表示部の電源をオフする手段と、を具備することを特徴とする省電力モードへの切り替え機能を有する携帯端末装置である。
【０００７】
本発明では、バッテリー残量の低下レベルにより、グラフィックス表示機能の停止、映像表示機能の停止、と段階的に携帯端末装置の消費電力を減らしていき、最後は音声出力のみになる。
【０００８】
【発明の実施の形態】
（実施の形態１）
以下、図面に基づいて本発明の実施の形態１を詳細に説明する。
【０００９】
図１は携帯端末装置の１例としての機器の外観図を示し、１０１は受信アンテナ、１０２は操作ボタン、１０３はディスプレイ、１０４はイヤホン、１０５はＬＥＤである。図２は携帯端末装置の１例としてのブロック図を示し、２０６は復調部、２０７は信号再生制御部、２０８はＲＯＭ、２０９はＲＡＭ、２１０は電池残量検出部、２１１は映像表示用電源である。携帯端末装置は前面にディスプレイ１０３を有し、ユーザーは操作ボタン１０２によって番組選局など機器の操作を行う。また、伝送信号を受信アンテナ１０１で受信し、受信した信号を復調部２０６で復調する。信号再生制御部２０７は、番組選局用のグラフィックス映像をディスプレイ１０３に表示させる。ユーザーは、番組選局用のグラフィックス映像のメニューから視聴したい番組を操作ボタン１０２を使って選択する。信号再生制御部２０７は、操作ボタン１０２が押されたことを検出してユーザーが選択した番組の信号を復調部２０６が復調した信号から複合再生し、ディスプレイ１０３へ映像を表示し、音声出力部であるイヤホン１０４から出力する。機器全体を動作させるソフトウェアプログラムは、ＲＯＭ２０８へ格納してある。信号再生制御部２０７はグラフィックス映像や番組映像など表示映像データの複合再生処理や音声複合再生処理用に一時記憶用メモリのＲＡＭ２０９を使用する。電池残量検出部２１０で、機器の電池残量を検出し、信号再生制御部２０７が認識する。映像表示用に使用する電力は、信号再生制御部２０７から電力供給のオンとオフの制御が可能な映像表示用電源２１１から供給される。ＬＥＤ１０５は、信号再生制御部２０７によって点灯のオンとオフが制御される。
【００１０】
図３は、実施の形態１の処理を示すフローチャートである。
【００１１】
実施の形態１では、グラフィックス表示機能を停止する条件となる電池残量レベルのしきい値（１）と映像表示機能を停止する条件となる電池残量レベルのしきい値（２）とを予め決定しておく。電池残量検出部２１０で検出した電池残量レベルを信号再生制御部２０７は検出する（ステップ３０１）。信号再生制御部２０７は、予め決定したしきい値（１）と電池残量検出部２１０で検出した電池残量レベルとを比較する（ステップ３０２）。比較した結果、電池残量レベルがグラフィックス表示処理を停止する電池残量レベルのしきい値（１）より低くなった場合、信号再生制御部２０７は、グラフィックスの表示機能を停止する（ステップ３０３）。引き続き電池残量検出部２１０で検出した電池残量レベルを信号再生制御部２０７が検出する（ステップ３０４）。信号再生制御部２０７は、予め決定したしきい値（２）と電池残量検出部２１０で検出した電池残量レベルとを比較する（ステップ３０５）。比較した結果、電池残量レベルが映像表示機能を停止する電池残量レベルのしきい値（２）より低くなった場合、信号再生制御部２０７は、映像表示用電源２１１からの供給電力をオフして、映像表示機能を停止する（ステップ３０６）。通常動作状態から機能が制限される省電力モードになった場合に、信号再生制御部２０７はＬＥＤ１０５をオフする。
【００１２】
以上に示したように、実施の形態１では、電池残量が少なくなってきた場合に、グラフィックス表示や映像表示の機能を制限していくことで消費電力を減らしていくことができ、機器動作の持続時間を長くすることができる。ユーザーはＬＥＤの点灯により通常モードと省電力モードを判別できる。
【００１３】
（実施の形態２）
図４は本発明の実施の形態２を示す携帯端末装置のブロック図を示し、２０６は復調部、４０７は信号再生制御部、２０８はＲＯＭ、４０９は第１のＲＡＭ、４１２は第２のＲＡＭ、２１１は電池残量検出部、２１２は映像表示用電源、４１３は映像複合再生処理用電源である。携帯端末装置は前面にディスプレイ１０３を有し、ユーザーは操作ボタン１０２によって番組選局など機器の操作を行う。また、伝送信号を受信アンテナ１０１で受信し、受信した信号を復調部２０６で復調する。信号再生制御部４０７は、番組選局用のグラフィックス映像をディスプレイ１０３に表示させる。ユーザーは、番組選局用のグラフィックス映像のメニューから視聴したい番組を操作ボタン１０２を使って選択する。信号再生制御部４０７は、操作ボタン１０２が押されたことを検出してユーザーが選択した番組の信号を復調部２０６が復調した信号から複合再生し、ディスプレイ１０３へ映像を表示し、音声出力部であるイヤホン１０４から出力する。機器全体を動作させるソフトウェアプログラムは、ＲＯＭ２０８へ格納してある。信号再生制御部４０７はグラフィックス映像や番組映像など表示映像データの処理に一時記憶用メモリの第２のＲＡＭ４１２を使用する。表示映像データの処理以外には一時記憶用メモリの第１のＲＡＭ４０９を使用する。電池残量検出部２１０で、機器の電池残量を検出し、信号再生制御部４０７が認識する。映像表示用に使用する電力は、信号再生制御部２０７から電力供給のオンとオフの制御が可能な映像表示用電源２１１から供給される。第２のＲＡＭ４１２が動作するために使用する電力は、信号再生制御部４０７から電力供給のオンとオフの制御が可能な映像複合再生処理用電源４１３から供給される。
【００１４】
実施の形態２の処理では、グラフィックス表示機能を停止する条件となる電池残量レベルのしきい値（１）と映像表示機能を停止する条件となる電池残量レベルのしきい値（２）とを予め決定しておく。電池残量検出部２１０で検出した電池残量レベルを信号再生制御部４０７は検出する（ステップ３０１）。信号再生制御部４０７は、予め決定したしきい値（１）と電池残量検出部２１１で検出した電池残量レベルとを比較する（ステップ３０２）。比較した結果、電池残量レベルがグラフィックス表示処理を停止する電池残量レベルのしきい値（１）より低くなった場合、信号再生制御部４０７は、グラフィックスの表示機能を停止する（ステップ３０３）。引き続き電池残量検出部２１０で検出した電池残量レベルを信号再生制御部４０７が検出する（ステップ３０４）。信号再生制御部４０７は、予め決定したしきい値（２）と電池残量検出部２１０で検出した電池残量レベルとを比較する（ステップ３０５）。比較した結果、電池残量レベルが映像表示機能を停止する電池残量レベルのしきい値（２）より低くなった場合、信号再生制御部４０７は、映像表示用電源２１１からの供給電力と表示映像データ処理用の一時記憶用メモリ第２のＲＡＭ４１２に供給する映像複合再生処理用電源４１３をオフして、映像表示機能を停止する（ステップ３０６）。通常動作状態から機能が制限される省電力モードになった場合に、信号再生制御部４０７はＬＥＤ１０５をオフする。
【００１５】
以上に示したように、実施の形態２では、電池残量が少なくなってきた場合に、グラフィックス表示や映像表示の機能を制限していくことで消費電力を減らしていくことができ、一時記憶用メモリの電力も削減するため、実施の形態２よりもさらに機器動作の持続時間を長くすることができる。ユーザーはＬＥＤの点灯により通常モードと省電力モードを判別できる。
【００１６】
（実施の形態３）
実施の形態３の処理では、図５に示すように、グラフィックス表示を行う通常モードではユーザーは、放送番組の選局をグラフィックス表示されるメニュー画面上から操作ボタンを使って選択する。グラフィックス表示機能を停止した省電力モードでは、ユーザーは、操作ボタンを使った、チャンネルのアップダウン、例えばチャンネル１の次は、チャンネル２、その次はチャンネル３、あるいは、チャンネル３の次は、チャンネル２、その次はチャンネル１といったように選局を行う。
【００１７】
実施の形態３では、ユーザーは、映像が表示されなくなる省電力モードに入っても番組の選局が可能となる。
【００１８】
【発明の効果】
以上のように本発明によれば、動作時間を持続させるための段階的な省電力モードへの切り替え機能を有する携帯端末装置を提供することができる。
【図面の簡単な説明】
【図１】携帯端末装置の外観図
【図２】実施の形態１の携帯端末装置の構成を示すブロック図
【図３】実施の形態１の処理を示すフローチャート
【図４】実施の形態２の携帯端末装置の構成を示すブロック図
【図５】実施の形態３の処理を示すフローチャート
【符号の説明】
１０１  受信アンテナ
１０２  操作ボタン
１０３  ディスプレイ
１０４  イヤホン
１０５  ＬＥＤ
２０６  復調部
２０７  信号再生制御部
２０８  ＲＯＭ
２０９  ＲＡＭ
２１０  電池残量検出部
２１１  映像表示用電源
４０７  信号再生制御部
４０９  第１のＲＡＭ
４１２  第２のＲＡＭ
４１３  映像複合再生処理用電源
【図１】
2004336330.tif 000003
【図２】
2004336330.tif 000004
【図３】
2004336330.tif 000005
【図４】
2004336330.tif 000006
【図５】
2004336330.tif 000007